(57)【要約】【課題】ユーザーに作業負荷を負わすことなく、メモリの発熱を制御し、メモリＩＣの動作や寿命への影響を低減する、メモリ制御方法を提供すること。【解決手段】動画記録機能と、メモリ３０ａ  ３０ｂと、それぞれ対応したメモリの周辺温度を測定する温度検出部２７と、温度検出部２７で検出された温度により、記録先を制御する制御部２０とを備え、制御部２０は、各種記録媒体の温度特性情報をあらかじめ記憶しており、温度検出部２７により一つのメモリ温度が温度特性情報の規定温度に達する前に、規定温度に達していない他のメモリに記録先を切り替え、動画記録終了時に、記録情報の分割の有無を判別し、分割されて保存された場合には、その情報を一つのメモリに統合し、統合時に一つのメモリの容量を超える情報量である場合には、収まる量のみ統合し残りを他のメモリに記録する制御手段を有することを特徴とする。【選択図】図３
2017120944.tif 000002
【特許請求の範囲】
【請求項１】
動画記録機能と、
少なくとも２以上のメモリと、
それぞれ対応したメモリの周辺温度を測定する少なくとも２以上の温度検出部と、
前記温度検出部で検出された温度により、記録先を制御する制御部と、を備え
前記制御部は、各種記録媒体の温度特性情報をあらかじめ記憶しており、前記温度検出部により一つのメモリ温度が前記温度特性情報の規定温度に達する前に、規定温度に達していない他のメモリに記録先を切り替え、動画記録終了時に、記録情報の分割の有無を判別し、分割されて保存された場合には、その情報を一つのメモリに統合し、統合時に一つのメモリの容量を超える情報量である場合には、収まる量のみ統合し、残りを他のメモリに記録する制御手段を有することを特徴とする撮像装置。
【請求項２】
前記制御部は、第２のメモリへの記録先変更を行った際も、総動画記録情報量が第１のメモリの容量以下の場合は、第１のメモリへの書き込み表示を続けることを特徴とする請求項１に記載の撮像装置。
【請求項３】
前記第１のメモリと第２のメモリの周辺温度がすべて前記温度特性情報の規定温度以上に達した際に、その旨を警告として表示することを特徴とする請求項１又は請求項２に記載の撮像装置。
【発明の詳細な説明】
【技術分野】
【０００１】
本発明は、メモリを搭載した撮像装置に関する。
【背景技術】
【０００２】
カメラで動画の長時間撮影を行う場合に、カメラ内部の制御基板等が発熱することにより、カメラ内部の温度が上昇する。このとき、書き込み中のメモリも発熱し、メモリの温度が上昇する。メモリの温度上昇は、メモリの動作や寿命に影響する懸念がある。
【０００３】
これに対し、特許文献１には、異なる複数のメモリを装着可能なインタフェースとインタフェース周辺の温度を検出する検出部を備える電子機器で、装着されたインターフェイスの熱条件に関する情報を取得し、温度検出部が検出した温度が規定値以上であった場合、熱条件が良いと判別されたメモリに対してアクセスを行い、それ以外のメモリに対してアクセスの制限を行うよう制御する方法が開示されている。
【０００４】
また、特許文献２には、内部メモリと、複数の着脱可能な外部メモリとネットワークで画像送受信する手段を備えた画像記録装置で、温度センサの検知温度が、あらかじめ記憶してあるメモリごとの使用温度範囲に達した場合は、ほかのメモリを用いて記録する。すべてのメモリが温度ＮＧになった場合は、ネットワークにて画像を送信し、記録先を変更した旨を表示する。初期のメモリ温度が規定以下になった場合は、初期メモリで記録を開始する方法が開示されている。
【先行技術文献】
【特許文献】
【０００５】
【特許文献１】特開２０１０−１４６０５７号公報
【特許文献２】特開２００４−２８９３０７号公報
【発明の概要】
【発明が解決しようとする課題】
【０００６】
しかしながら、特許文献１に開示された技術では、同一種別のメモリの場合には制御できない上、あらかじめ熱条件が良いと判別されたメモリのみにアクセスが集中し、発熱を低減する効果は低いと考えられる。また上記の方法では、ユーザーの指定するメモリ以外への書込みが行われる可能性があるため、ユーザーが後に記録データを探す必要があるという課題があった。
【０００７】
また、特許文献２に開示された技術では、一連の撮影時に記録先メモリが次々に変わるため、ユーザーが後に記録データを整理する必要があるという課題があった。
【０００８】
そこで、本発明の目的は、ユーザーに作業負荷を負わすことなく、メモリの発熱を制御し、メモリの動作や寿命への影響を低減する、メモリ制御方法を提供することにある。
【課題を解決するための手段】
【０００９】
上記の目的を達成するために、本発明に係る撮像装置は、
動画記録機能と、少なくとも２以上のメモリと、それぞれ対応したメモリの周辺温度を測定する少なくとも２以上の温度検出部と、前記温度検出部で検出された温度により、記録先を制御する制御部とを備え、前記制御部は、各種記録媒体の温度特性情報をあらかじめ記憶しており、前記温度検出部により一つのメモリ温度が前記温度特性情報の規定温度に達する前に、規定温度に達していない他のメモリに記録先を切り替え、動画記録終了時に、記録情報の分割の有無を判別し、分割されて保存された場合には、その情報を一つのメモリに統合し、統合時に一つのメモリの容量を超える情報量である場合には、収まる量のみ統合し残りを他のメモリに記録する制御手段を有することを特徴とする。
【発明の効果】
【００１０】
本発明によれば、ユーザーに作業負荷を負わすことなく、メモリの発熱を制御し、メモリの動作や寿命への影響を低減する、メモリ制御方法を提供することができる。
【図面の簡単な説明】
【００１１】
【図１（ａ）】実施例１に係る撮像装置の本体構成について示した模式図である。
【図１（ｂ）】実施例１に係る撮像装置の本体構成について示した模式図である。
【図１（ｃ）】実施例１に係る撮像装置の本体構成について示した模式図である。
【図１（ｄ）】実施例１に係る撮像装置の本体構成について示した模式図である。
【図２】実施例１に係る撮像装置の主要な電気的構成を示すブロック図である。
【図３】実施例１に係る撮像装置に関する、動画記録のデータ保存処理内容を示すフローチャートである。
【図４】実施例２に係る撮像装置に関する、動画記録のデータ保存処理内容を示すフローチャートである。
【発明を実施するための形態】
【００１２】
以下、図１〜図４を用いて、本実施の形態に係る撮像装置の構成について説明する。なお、図中で共通する部分には同一の符号を付す。
【実施例１】
【００１３】
まず、図１を参照して本実施の形態に係る撮像装置の本体構成について説明する。図１（ａ）は撮像装置の外観正面斜視図、図１（ｂ）は撮像装置の外観背面斜視図、図１（ｃ）は撮像装置の外観底面斜視図、図１（ｄ）は図１（ｂ）の外部メモリ接続部６を開口した外観背面斜視図を表す。
【００１４】
図１（ａ）において、１は撮像装置本体、２は第二の表示部、３はアクセサリ接続部、４はレリーズ釦、５は撮影レンズを示す。図１（ｂ）において、６は外部メモリ接続部、７は第一の表示部、８は操作部を示す。図１（ｃ）において、９は本体固定部を示す。図１（ｄ）において６ａおよび６ｂは外部メモリ接続部６内のメモリ接続部、３０ａ、３０ｂは外部メモリを示す。６ａ、６ｂ、３０ａ、３０ｂに関しては後に詳細に説明する。本体固定部９は撮像装置本体１を外部器材（例えば三脚等）に固定する機能を有する。上記部材の詳細については後述説明する。
【００１５】
また図１、図２を参照して、撮像装置内部の構成について説明する。
【００１６】
図２は本実施の形態に係る撮像装置の主要な電気的構成を示すブロック図である。
【００１７】
撮像装置本体１に内蔵されたマイクロコンピュータからなる制御部２０は、カメラの動作制御および記憶を司るものであり、各要素からの情報の処理や各要素に対する指示および各情報の記憶を行う。また制御部２０には、第二の表示部２、アクセサリ接続部３、レリーズ釦４、外部メモリ接続部６ａ、外部メモリ接続部６ｂ、第一の表示部７、操作部８、撮像部２１、ＡＦ手段２２、マウント接点部２３、通信手段２５、内部メモリ２６、温度検出部２７ａ、温度検出部２７ｂ、温度検出部２７ｃが電気的に接続されている。制御部２０は、マウント接点部２３を介して撮影レンズ５と通信を行う。
【００１８】
ＡＦ手段２２は、複数の測距点からなる公知の位相差ＡＦ手段であり、制御部２０は前記ＡＦ手段２２により測距を行い、撮影レンズ５の制御により、撮像部２１に撮影光束２４の焦点を合わせるように調整する。
【００１９】
撮像部２１は、被写体像を光電変換する撮像素子を有し、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。
【００２０】
撮像部２１からの被写体情報は制御部２０を介して、画像データとして第一の表示部７に表示される。第二の表示部２は撮影時の各設定条件の表示等を行う。
【００２１】
アクセサリ接続部３はアクセサリ（例えば外付けストロボ等）の固定を行うとともに電気接点を有し、制御部２０の制御によりアクセサリを駆動させる。
【００２２】
外部メモリ接続部６ａ、外部メモリ接続部６ｂは前記外部メモリ接続部６内のメモリ接続部であり、複数の外部メモリ（例えばＳＤカードやＣＦカード等の記憶媒体）と制御部２０との通信接続を行う。
【００２３】
３０ａ、３０ｂは前記外部メモリであり、第一のメモリ３０ａは外部メモリ接続部６ａに、第二のメモリ３０ｂは外部メモリ接続部６ｂに接続され、制御部２０により処理された情報の記憶や読み出しの機能を有する。
【００２４】
操作部８は各種撮影条件等の設定を行うもので、設定された条件は制御部２０へ送られる。また操作部８の操作により動画記録が開始し、制御部２０は撮像部２１により送られてくる画像データを、第一の表示部７に表示するとともに、内部メモリ２６もしくは前記外部メモリに記憶する。
【００２５】
通信手段２５は外部機器（例えばＰＣ等）との通信を行う手段を有する。
【００２６】
内部メモリ２６はカメラ内部にあらかじめ内蔵された記憶媒体（例えばＤＲＡＭ等）であり、制御部２０により処理された情報の記憶や読み出しの機能を有する。
【００２７】
温度検出部２７ａは外部メモリ接続部６ａの周囲温度を測定する機能を有し、測定した温度情報は制御部２０に送られる。
【００２８】
温度検出部２７ｂは外部メモリ接続部６ｂの周囲温度を測定する機能を有し、測定した温度情報は制御部２０に送られる。
【００２９】
温度検出部２７ｃは内部メモリ２６の周囲温度を測定する機能を有し、測定した温度情報は制御部２０に送られる。レリーズ釦４は、その操作により撮像部による撮影を行う。
【００３０】
図３は本実施形態に係る撮像装置に関する、動画記録のデータ保存処理内容を示すフローチャートである。
【００３１】
図２、図３を参照して動画記録中のデータ保存処理方法に関して説明する。
【００３２】
撮像装置本体１は電源ＯＮ動作（Ｓ２００）によって起動した時、制御部２０は外部メモリ接続部６ａ、外部メモリ接続部６ｂに接続されている前記外部メモリの種類を検出し、予め制御部２０に記憶してある前記外部メモリの温度特性情報を取得する（Ｓ２０１）。前記温度特性情報とは、各メモリ毎にメーカーが保障する使用温度限界のことであり、以下規定温度とする。
【００３３】
次に、ユーザーによって現在選択されているメモリ（第一のメモリ）を検出し、動画記録開始まで待機する（Ｓ２０２）。
【００３４】
動画記録を開始した時（Ｓ２０３）、制御部２０は前記第一のメモリ３０ａに画像データの記録を開始し（Ｓ２０４）、温度検出部２７ａにより前記第一のメモリ３０ａ周辺の温度検出を開始する（Ｓ２０５）。この際、検出された前記第一のメモリ３０ａ周辺の温度をＴ１とする。
【００３５】
動画記録を継続している（Ｓ２０６）状態で、前記Ｔ１がＳ２０１にて取得した前記規定温度以上になったことを温度検出部２７ａが検知した場合（Ｓ２０７）、制御部２０は前記第一のメモリ３０ａへの記録を停止し（Ｓ２０８）、前記第一のメモリ３０ａの残量を記憶した後（Ｓ２０９）、前記第二のメモリ３０ｂへの記録を開始する（Ｓ２１０）とともに、温度検出部２７ｂにより前記第二のメモリ３０ｂ周辺の温度検出を開始する（Ｓ２１１）。この際、検出された前記第二のメモリ３０ｂ周辺の温度をＴ２とする。Ｓ２０７にて前記Ｔ１が前記規定温度に達していない場合は、前記第一のメモリ３０ａへの記録を継続する。
【００３６】
動画記録を継続している（Ｓ２１２）状態で、前記Ｔ２がＳ２０１にて取得した前記規定温度以上になったことを温度検出部２７ｂが検知した場合（Ｓ２１３）、制御部２０は前記Ｔ１が前記規定温度に達しているかを温度検出部２７ａにて確認する（Ｓ２１４）。前記Ｔ１が前記規定温度以下であった場合、制御部２０は前記第二のメモリ３０ｂへの記録を停止し（Ｓ２１５）、前記第一のメモリ３０ａへの記録を開始する（Ｓ２０４）。この時、前記第一のメモリ３０ａに記録してある初期のデータと追加するデータの境界を判別できるようにしておく。Ｓ２１３にて前記Ｔ２が前記規定温度に達していない場合は、前記第二のメモリ３０ｂへの記録を継続する（Ｓ２１０）。Ｓ２１４にて前記Ｔ１が前記規定温度以上であった場合、制御部２０は第一の表示部７に内部温度上昇に関する警告を表示し（Ｓ２１６）、動画記録を停止する（Ｓ２１７）。
【００３７】
Ｓ２０６、Ｓ２１２、Ｓ２１７にて動画記録が終了した場合、制御部２０は前記第一のメモリ３０ａ及び前記第二のメモリ３０ｂに記録した総録画データ量を、前記第一のメモリ３０ａの容量と比較する（Ｓ２１８）。前記総録画データ量が前記第一のメモリ３０ａ容量より大きい場合、制御部２０は前記第一のメモリ３０ａの容量の限界まで前記第二のメモリ３０ｂに記録しているデータを統合し（Ｓ２１９）、残りのデータを前記第二のメモリ３０ｂに記録する（Ｓ２２０）。前記第二のメモリ３０ｂに記録されたデータを統合する際には、録画データが時系列で記録されるように並べて統合する。Ｓ２１８にて前記総録画データ量が前記第一のメモリ３０ａ容量より小さい場合、制御部２０は前記第二のメモリ３０ｂに記録しているデータを統合する（Ｓ２２１）。この際も、Ｓ２１９と同様に前記第二のメモリ３０ｂに記録されたデータを統合する際には、録画データが時系列で記録されるように並べて統合する。
【００３８】
上記フローにより、前記第一のメモリ３０ａと前記第二のメモリ３０ｂの温度上昇を抑制することができ、メモリの動作や寿命への影響を低減する
図４は本実施形態に係る撮像装置に関する、動画記録先の表示方法に関するフローチャートである。なお、上記と同記号の説明は割愛する。
【００３９】
図２、図３、図４を参照して、動画記録のデータ保存処理のフローと平行して展開される、動画記録先の表示方法に関して説明する。
【００４０】
制御部２０はＳ２０４にて前記第一のメモリ３０ａに記録を開始するとともに、第一の表示（前記第一のメモリ３０ａへの記録を示す表示）を第一の表示部７に表示する（Ｓ３００）。
【００４１】
Ｓ３０１にて総録画データ量が前記第一のメモリ３０ａの容量を超えない状態で（Ｓ３０１）、Ｔ１、Ｔ２ともに前記規定温度を超えた場合には（Ｓ３０２）（Ｓ３０３）、前記第一の表示を消灯する。また、Ｓ３０１にて総録画データ量が前記第一のメモリ３０ａの容量を超えた場合には、前記第一の表示を消灯し（Ｓ３０５）、第二の表示（前記第二のメモリ３０ｂへの記録を示す表示）を第一の表示部７に表示する（Ｓ３０６）。前記Ｔ２が前記規定温度を超えた場合には（Ｓ３０７）、前記第二の表示を消灯する（Ｓ３０８）。
【００４２】
上記フローにより、内部で記録先メモリが変更された場合にも、総データ量が前記第一のメモリ３０ａ容量を超えない限り前記第一の表示が行われるため、ユーザーの混乱を招くことがない。
【００４３】
本実施系において、前記第二のメモリ３０ｂは、前記外部メモリであるが、内部メモリ２６を用いてもよい。また、記録先メモリの表示を第一の表示部７で表示するが、第二の表示部、またはＬＥＤ等の専用表示部材で表示してもよい。
【符号の説明】
【００４４】
１  撮像装置本体、２  第二の表示部、３  アクセサリ接続部、４  レリーズ釦、
５  撮影レンズ、６  外部メモリ接続部、７  第一の表示部、８  操作部、
９  本体固定部、２０  制御部、２１  撮像部、２２  ＡＦ手段、
２３  マウント接点部、２４  撮影光束、２５  通信手段、２６  内部メモリ、
２７  温度検出部、３０ａ，３０ｂ  メモリ
【図１（ａ）】
2017120944.tif 000003
【図１（ｂ）】
2017120944.tif 000004
【図１（ｃ）】
2017120944.tif 000005
【図１（ｄ）】
2017120944.tif 000006
【図２】
2017120944.tif 000007
【図３】
2017120944.tif 000008
【図４】
2017120944.tif 000009